(57)【要約】【課題】手術の際に、生体組織を刺し通し、削り、切開する際の抵抗が小さく、且つ折れにくく、更に、鏡下手術の際であっても照明の反射を可及的に少なくする。【解決手段】医療用針等は、モリブデンを１％〜６％含むか、クロムを１３％〜２５％含むオーステナイト系ステンレス鋼のファイバー状組織の母材表面に５マイクロメートル〜７０マイクロメートル深さの炭素原子を侵入させた硬化層を設ける。また硬化層を設けた後、該硬化層の一部を除去する。更に、硬化層の最表面に暗色層を形成することで非反射性表面とする。【選択図】        図１
2006077313.tif 000002
【特許請求の範囲】
【請求項１】
モリブデンを１％〜６％含むか、クロムを１３％〜２５％含むオーステナイト系ステンレス鋼のファイバー状組織の母材表面に５マイクロメートル〜７０マイクロメートル深さの炭素原子を侵入させた硬化層を設けたことを特徴とする医療用針又は刃物。
【請求項２】
モリブデンを１％〜６％含むか、クロムを１３％〜２５％含むオーステナイト系ステンレス鋼の母材表面に５マイクロメートル〜７０マイクロメートル深さの炭素原子を侵入させた硬化層を設けた後、該硬化層の一部を除去したことを特徴とする医療用針又は刃物。
【請求項３】
モリブデンを１％〜６％含むか、クロムを１３％〜２５％含むオーステナイト系ステンレス鋼の母材表面に炭素原子を侵入させた硬化層を設けると共に、該硬化層の最表面に暗色層を形成することで非反射性表面としたことを特徴とする医療用針又は刃物。
【発明の詳細な説明】
【技術分野】
【０００１】
本発明は、錆を発生することがなく、且つ高い硬度と折れ難さを発揮し、更に、非反射性を持った医療用針又は刃物に関するものである。
【背景技術】
【０００２】
医療用針としては、切開された患部を縫合する際に用いる縫合針や採血或いは輸液の際に用いる針、歯科治療に於ける根管成形を行う際に用いるリーマやファイル等がある。また医療用の刃物としては、患部を切開する際に用いるメスやナイフがある。このように、医療用針や刃物は夫々の使用目的に応じて最適な形状を有している。
【０００３】
上記した医療用針又は刃物は何れも、生体組織を直接刺し通して縫合糸を通す機能を有し又は歯の組織を削る機能を有し、或いは生体組織を切開する機能を有するものである。このような医療用針又は刃物では、目的の作業を行う際に曲げ方向の力が作用したり、生体組織を刺し通す際の抵抗や、削る際の抵抗、切断する際の抵抗が作用する。
【０００４】
また歯科治療に於ける根管成形用の治療器具は、歯の表面の硬い層を削ることが多く、高い硬度を有することが必要となる。一方、根管成形中に作業上の障害が生じて破断した場合、破断した先端部分を取り除く作業は容易ではない。即ち、歯科用の治療器具では、硬い切刃と高度の折れ難さを併せ持つことが必要となる。このような医療用針又は刃物は生体組織と直接接触するものであるため、生体組織に対して悪影響を与えることのない材料を用いて構成される。
【０００５】
このため、各メーカーでは、使用に際して曲がり難く且つ抵抗を小さくし得るものを継続して開発しているのが実情である。
【０００６】
生体組織を刺し通し、削り、或いは切開する際の抵抗を小さく、且つ曲げ力に対して高い抵抗を発揮させるためには高い硬度を持った材料を利用することが必要であり、このような材料として、焼き入れ処理した鋼又はマルテンサイト系ステンレス鋼を利用するのが一般的である。しかし、これらの材料を利用した医療用針又は刃物では、流通段階での錆の発生を避けることが困難であるという問題がある。
【０００７】
このため、本件出願人は、オーステナイト系ステンレス鋼を冷間線引き加工することによって加工硬化による高い硬度を有し、且つ粒状のオーステナイト組織を伸長させたファイバー状の組織として折れにくさを実現した医療用縫合針を開発している（例えば特許文献１参照）。この技術によって得られた医療用縫合針は、錆が発生することがなく、高い硬度を有することから切刃の切れ味を確保することが出来、且つ組織がファイバー状に伸長していることから折れにくいという利点を有している。
【０００８】
オーステナイト系ステンレス鋼は熱処理による硬化を期待し得ないため、特許文献１の技術のように、冷間加工に伴う加工硬化を期待せざるを得ない。このように、硬度を得るための処理が冷間加工のみであるため、適用し得る製品の種類が極めて限定されるという問題があり、この問題を解決するために、オーステナイト系ステンレス鋼に浸炭処理を施すことで、硬化層を形成する技術が開発されている（例えば特許文献２参照）。
【０００９】
【特許文献１】特公平１−１１０８４号公報
【特許文献２】特開平９−２６８３６４号公報
【発明の開示】
【発明が解決しようとする課題】
【００１０】
医療用針又は刃物をオーステナイト系ステンレス鋼によって構成する場合、特許文献１の技術を実施して硬度を高めることが必須となる。この場合、医療用針又は刃物に必要な硬度を得るまでの加工率等の加工条件を厳密に管理することが必要となり、極めて精度の高い冷間加工を施す必要性があり、作業の手順の管理や環境の管理が複雑になるという問題が生じている。
【００１１】
一方、特許文献２の技術では、製品の表面に浸炭層を形成することで硬度を上昇させることが可能であるが、曲げ力が作用する長い棒状の製品に適用した場合、折れにくさの問題を解決することができないという問題が生じている。
【００１２】
また、最近の医療では、脳外科手術や眼科手術或いは根管成形術等に代表される繊細な手術が行われるようになっている。このような繊細な手術では、術野を顕微鏡や内視鏡によって監視しつつ、患部の切開や縫合、根管の成形等を行うのが一般的である。この鏡下の手術では、術野を照らす照明が医療用針又は刃物によって反射し、医師に多大な疲労を生じさせているという問題もある。
【００１３】
本発明の目的は、生体組織を刺し通し、削り、切開する際の抵抗が小さく、且つ折れにくく、更に、鏡下手術の際であっても照明の反射を可及的に少なくした医療用針又は刃物を提供することにある。
【課題を解決するための手段】
【００１４】
上記課題を解決するために本発明に係る医療用針又は刃物は、モリブデンを１％〜６％含むか、クロムを１３％〜２５％含むオーステナイト系ステンレス鋼のファイバー状組織の母材表面に５マイクロメートル〜７０マイクロメートル深さの炭素原子を侵入させた硬化層を設けたものである。
【００１５】
また本発明に係る第２の医療用針又は刃物は、モリブデンを１％〜６％含むか、クロムを１３％〜２５％含むオーステナイト系ステンレス鋼の母材表面に５マイクロメートル〜７０マイクロメートル深さの炭素原子を侵入させた硬化層を設けた後、該硬化層の一部を除去したものである。
【００１６】
更に、本発明に係る第３の医療用針又は刃物は、モリブデンを１％〜６％含むか、クロムを１３％〜２５％含むオーステナイト系ステンレス鋼の母材表面に炭素原子を侵入させた硬化層を設けると共に、該硬化層の最表面に暗色層を形成することで非反射性表面としたものである。
【発明の効果】
【００１７】
上記本発明に係る第１の医療用針又は刃物（以下「医療用針等」という）では、オーステナイト系ステンレス鋼の組織をファイバー状に伸長させた母材の表面に５マイクロメートル（μｍ）〜７０μｍの硬化層を設けたので、該表面に高い硬度を有する切刃を形成することが出来、生体組織を刺し通す際の抵抗や、削る際の抵抗或いは切開する際の抵抗を小さくすることが出来る。また母材がファイバー状の組織を有するため、曲げに対して高い抵抗を持ち折れにくさを発揮することが出来る。
【００１８】
特に、オーステナイト系ステンレス鋼であるため、錆が発生する虞がなく、医療用針等が直接生体組織に接触しても、該生体組織に悪影響を与えることがない。
【００１９】
また第２の医療用針等では、母材表面に浸炭させて硬化層を形成した後、該硬化層の一部を除去することによって、最表面に於ける浸炭によって脆くなった部分を排除することが出来る。このため、脆くなることによる折れ易さを解消して複数回の使用に耐えることが出来、且つ安定した硬度を有する表面を形成することが出来る。
【００２０】
また第３の医療用針等では、母材表面に設けた硬化層の最表面に暗色層を形成することによって非反射面としたので、顕微鏡や内視鏡を用いた鏡下の手術の際に術野に強い照明がなされた場合であっても、この照明光が医師側に反射することがなく、医師の疲労を抑えることが出来る。
【発明を実施するための最良の形態】
【００２１】
以下、本発明に係る医療用針等の好ましい実施形態について説明する。本発明の医療用針等は生体組織を刺し通すための鋭利な針先や、生体組織を切開し或いは削るための切刃を有するものであり、表面の硬度を高くすることによって針先や切刃の切れ味を向上させ、これにより、生体組織を刺し通す際の刺通抵抗の低減、生体組織を切開し或いは削る際の抵抗を低減させるようにしたものである。特に、表面の硬度が高くなることによって、複数回の使用に関わらず刺通性や切れ味を保持することが可能となり、使い勝手の良い医療用針等としたものである。
【００２２】
更に、最表面に暗色層を形成することによって、非反射性を発揮することが可能となり、顕微鏡や内視鏡を利用して繊細な手術を行う際に、術野に対する照明光が医療用針等に照射された場合でも、反射光をなくし或いは減少させて医師の疲労を軽減し得るようにしたものである。
【００２３】
本発明の医療用針等に用いる材料は、モリブデンを１％〜６％の範囲で含むか、クロムを１３％〜２５％の範囲で含むオーステナイト系ステンレス鋼である。即ち、医療用針等の材料としては、モリブデン又はクロムを前記範囲内で含有しているオーステナイト系ステンレス鋼であれば良く、これらの金属以外の金属の含有料を限定するものではない。しかし、ＪＩＳ  Ｇ  ４３０３〜４３０９に規定された規格品であることが好ましい。
【００２４】
医療用針等の材料としてのオーステナイト系ステンレス鋼は、一般の市場から入手し易いものであることが好ましく、この点で、例えばＳＵＳ３０３，ＳＵＳ３０４等であることが好ましい。このようなオーステナイト系ステンレス鋼は、長期間にわたって発錆の虞がなく、常に美麗な表面を保持することが可能である。
【００２５】
本発明の医療用針等は、通常の機械部品に比較して極めて寸法が小さい（例えば、医療用縫合針の場合、最も太い部位に於ける太みは約０．０７ｍｍ〜約１．４ｍｍの範囲である）。このように、製品の太みが極めて細いため、材料として、予め製品の太みに対応する線径を持ったオーステナイト系ステンレス鋼の線材を用いることが好ましい。
【００２６】
本発明に係る第１の医療用針等は、オーステナイト系ステンレス鋼の線材を目的の医療用針等の太みに合わせて冷間線引き加工することによって、オーステナイト系ステンレス鋼の組織をファイバー状に伸長させたものを用いている。
【００２７】
この場合、オーステナイト系ステンレス鋼の冷間線引き加工に於ける加工条件は特に限定するものではなく、予め設定された減面率で冷間線引き加工することで、組織をファイバー状に伸長させると共に硬度を上昇させたものを用いることが可能である。このように、オーステナイト系ステンレス鋼を冷間線引き加工して組織をファイバー状に伸長させることで、予め設定された太さと所定の硬度を持ち、且つ折れ難さを実現した素材を得ることが可能である。
【００２８】
第１の医療用針等では、オーステナイト系ステンレス鋼の線を冷間線引き加工して組織をファイバー状に伸長させる際に、組織の伸長を実現し得れば良く、素材の硬度を限定して発揮させる必要はない。即ち、表面の硬度は、ファイバー状組織の母材表面に５μｍ〜７０μｍ深さの炭素原子を侵入させた硬化層（浸炭層）を設けることによって実現している。
【００２９】
また第２の医療用針等、第３の医療用針等では、材料はオーステナイト系ステンレス鋼であれば良く、組織をファイバー状に伸長させているか否かを限定するものではない。そして、これら第２，第３の医療用針等であっても、オーステナイト系ステンレス鋼の硬度は、母材表面に５μｍ〜７０μｍ深さの炭素原子を侵入させた硬化層（浸炭層）を設けることによって実現している。
【００３０】
オーステナイト系ステンレス鋼の母材表面に炭素原子を侵入させた硬化層を形成する手段は特に限定するものではないが、予め設定された医療用針等としての形状や寸法に加工した後、硬化層の形成を行うことが好ましい。このように、予め、寸法や形状を実現しておくことで、医療用針に形成される針先や切刃の全体にわたって硬化層を形成することが可能となり、硬度分布が一様な医療用針等を実現することが可能となる。
【００３１】
浸炭層からなる硬化層を形成する際の浸炭処理の一例として次の方法がある。浸炭処理に先立って或いは浸炭処理と同時にフッ素化合物ガス（分子内にフッ素、Ｆを含むガス）を単独で、或いは複数種混合させ、更には窒素ガスによって希釈したフッ素系ガス雰囲気下でのフッ化処理を行う。このフッ化処理は、４００℃〜５００℃の温度に保持され且つフッ素系ガス雰囲気の炉に目的の医療用針等を入れ、所定時間保持する。
【００３２】
次に、前記炉内をフッ素系ガス雰囲気から一酸化炭素と水素を含む浸炭用ガス雰囲気に変更し、炉内温度を４００℃〜５００℃に設定して所定時間保持することで、オーステナイト系ステンレス鋼からなる医療用針の表面に炭素原子が侵入した硬化層となる浸炭層を形成することが可能である。硬化層の深さは、浸炭用ガス雰囲気に於ける経過時間と比例する。従って、医療用針として必要な硬化層の深さに対応させた時間だけ、炉内で保持することが好ましい。
【００３３】
ファイバー状に伸長させた組織を有するオーステナイト系ステンレス鋼に対してフッ化処理，浸炭処理するに際し、炉内温度を５００℃よりも高くした場合、ファイバー状の組織が粒状のオーステナイト組織に再結晶してしまう虞がある。このため、請求項１の発明では炉内温度を５００℃以下に保持することが必須である。
【００３４】
前述したように、医療用針や根管成形用の器具はサイズによって太みが異なり、約０．０７ｍｍ〜約１．４ｍｍの範囲にある。このため、硬化層の深さは一律に決められるものではなく、太みに応じて最適な深さ（細いものは浅く、太いものは深く）に設定される。即ち、硬化層の深さが深くなるほど安定した硬度を発揮して複数回の使用でも安定した刺通性や切削性或いは切開性を発揮することが可能であるが、太みの細い医療用針等に於いて、太みの割に硬化層が深いような場合、曲げ力が作用したときに折れ易くなる虞が生じる。
【００３５】
例えば、医療用針が根管成形用の器具である場合、最も細い＃０６では、尖端部分の太みが約４０μｍになる。この場合の硬化層の深さは５μｍ程度で充分である。
【００３６】
本発明に係る第２の医療用針等では、オーステナイト系ステンレス鋼の母材表面に炭素原子を侵入させた硬化層を設けた後、該硬化層の一部を除去している。特に、硬化層の表面を一部除去することによって、浸炭処理に伴って発生した脆い層を排除することが可能となる。このため、医療用針等によって生体組織を差し通す際に、削る際に、切開する際に、該医療用針等の折れ易さを改善することが可能となる。
【００３７】
更に、本発明に係る第３の医療用針等では、オーステナイト系ステンレス鋼の母材の表面に形成した硬化層の最表面に暗色層を形成することで非反射性表面としている。この暗色層は具体的には鉄系酸化層、クロム系酸化層、炭化クロム層等である。この硬化層の最表面に暗色層を形成する方法は特に限定するものではなく、浸炭処理に於ける雰囲気，温度等を調整したり、浸炭雰囲気中に少量の酸素を残存させて浸炭処理をしたりすることで形成することが可能である。
【００３８】
本発明に係る上記各医療用針等は、表面に浸炭層からなる硬化層が形成されるため、高い硬度を実現することが可能である。このような医療用針等では、硬化層を露出させた状態で目的の作業を行うことが可能であるが、最表面にシリコーン層を形成することが好ましいことがある。特に、医療用針等が、生体組織を通過する縫合針或いは生体組織を切開する刃物であるような場合、シリコーン層を形成することによって、これらの縫合針或いは刃物と生体組織との間に生じる接触摩擦を軽減してより抵抗を小さくすることが可能となる。
【００３９】
特に、第３の医療用針等に於ける暗色層の上にシリコーン層を形成すると、耐食性を向上させることが可能である。この際、軽く酸先処理をして表面をざらつかせた後、シリコーン層を形成することで、該シリコーン層を強固に保持することが可能である。
【００４０】
上記各医療用針等に於いて、母材の表面に浸炭層からなる硬化層を形成したとき、脆さの発生を回避することは困難である。特に、縫合針や歯科用治療器具の先端部分である針先或いは切刃の先端部分等は、極めて細く或いは薄く形成されることから、力が集中して作用することとなり脆さの影響を受け易い。このため、脆さの影響を抑えるために、硬化層の深さは制限される。硬化層の母材に対する割合は特に限定すべきものではないが、本件発明者等の実験では、縫合針の場合、１対９程度であることが好ましかった。
【実施例１】
【００４１】
次に、医療用針等の第１実施例について図を用いて説明する。図１は医療用針等としての縫合針の例を説明する図である。図２は医療用針等としての縫合針の他の例を説明する図である。図３はオーステナイト系ステンレス鋼を冷間線引き加工して得たファイバー状の組織の例を説明する図である。図４は縫合針の先端部分の好ましい例を説明する図である。
【００４２】
本実施例に於いて、医療用針等は図１に示す縫合針Ａ，図２に示す縫合針Ｂとして形成されている。縫合針Ａは、胴部１の断面が円形に形成されており、先端に鋭い針先部１ａが形成され、後端面に図示しない縫合糸を挿入して結合させる穴２が形成されている。この縫合針Ａは、針先１ａで生体組織を刺し通した後、この生体組織を胴部１で押し開くようにして通過するものである。
【００４３】
また縫合針Ｂは、胴部１の断面が多角形（例えば三角形又は五角形等）に形成されており、予め設定された稜線が生体組織を切り開く切刃１ｂとして形成されている。この縫合針Ｂは、針先１ａで生体組織を刺し通した後、切刃１ｂによって該生体組織を切り開いて通過するものである。
【００４４】
縫合針Ａ，Ｂは、オーステナイト系ステンレス鋼を予め設定された減面率で冷間線引き加工して初期の段階では粒状であった組織をファイバー状に伸長させた（図３参照）胴部１を有している。このような胴部１では、ファイバー状の組織が高い耐曲げ性を有しており、縫合手術に際し、生体組織を通過する際に作用する曲げ力に対抗して折れ難さを発揮することが可能である。
【００４５】
また図３に示すようにファイバー状組織３の表面には炭素原子が侵入した硬化層４が形成されており、該硬化層４によって縫合針Ａ，Ｂとして必要な硬度を発揮することが可能である。特に、縫合針Ａでは切刃を有しないことから大きな硬度は必要なく、硬化層４の深さは浅くなっている。また縫合針Ｂでは複数回の縫合でも切刃１ｂの切れ味を確保するために硬化層４の深さは深くなっている。
【００４６】
例えば縫合針Ａを構成する手順について簡単に説明する。先ず、縫合針Ａの胴部１の太みと対応する材料（冷間線引き加工されたオーステナイト系ステンレス鋼の線材）を選択すると共に縫合針Ａの長さに対応させて切断して素材を形成する。この素材をテーパ状に研削して一方側の端部に針先部１ａを形成する。
【００４７】
上記の如くして形成された縫合針Ａの中間材を、フッ素系ガス雰囲気の炉に挿入してフッ化処理を行い、引き続き、浸炭用ガス雰囲気の炉に於いて所定時間保持することで、ファイバー状母材の表面に硬化層４を形成する。次いで、他方側の端部に穴２を形成し、その後、所定の湾曲に曲げ加工して縫合針Ａの形状を得る。これにより、縫合針Ａを得ることが可能である。
【００４８】
また縫合針Ｂを構成する場合には、素材をプレス加工して目的の断面形状に成形し、その後、表面を研削して切刃１ｂを形成する。その後、この中間材に対してフッ化処理，浸炭処理を施し、所定の曲げ加工を行って湾曲させることで縫合針Ｂの形状を得る。これにより、縫合針Ｂを得ることが可能である。
【００４９】
上記の如くして得た縫合針Ａ，Ｂは、全表面に一様に硬化層４が形成されているため、針先部１ａは高い硬度と脆さを有することとなり、生体組織を刺し通す際に、針先部１ａが欠ける虞が生じる。このため、図４に示すように、浸炭処理を施した後の針先部１ａ（二点鎖線の先端部分）に於ける硬化層４をバフ研磨等の手段で除去してファイバー状組織を望ませることで、折れ難い針先部１ａ（実線の先端部分）を形成することが好ましい。特に、前記除去加工の際に、硬化層４とファイバー状組織３の横断方向に於ける厚みの割合が、胴部から針先部１ａに向かって常に１対９となるように形成することが好ましい。
【００５０】
硬化層４を除去して形成した針先部１ａは、硬化層４とファイバー状組織３との境界線４ａと一致した点であることが好ましい。このような針先部１ａを形成することによって、該針先部１ａから直ちに硬化層４が連続することとなり、中心に折れ難さを発揮するファイバー状組織３を望ませると共に該ファイバー状組織３の周囲に高い硬度を持った硬化層４を形成することが可能となる。
【００５１】
多数の縫合針Ａ，Ｂを製造するに際し、針先部１ａを硬化層４とファイバー状組織３との境界線に正確に一致させるような加工を行うことはコスト的な問題を生じる虞がある。しかし、針先部１ａがファイバー状組織３に入り込んだとしても、縫合針Ａ，Ｂとして、円滑に生体組織を刺し通すことが可能なようにしておくことが好ましい。
【００５２】
また、縫合針Ａの母材表面に硬化層４を形成した後、該縫合針Ａを酸洗処理や化学研磨処理を施すことで、硬化層４の一部を除去しても良い。この場合、前述したように、硬化層４の表面に於ける脆い層が除去されて安定した硬度を持った縫合針Ａを形成することが可能となる。
【実施例２】
【００５３】
次に、医療用針等の第２実施例について図を用いて説明する。図５は医療用針等としてのナイフの例を説明する図である。図６は医療用針等としてのナイフの他の例を説明する図である。
【００５４】
図５に示すナイフＣは、刃部１０と、刃部１０に連続して形成されたシャンク１１を有している。ナイフＣの先端は鋭い尖端１２として形成されており、該尖端１２から刃部１０の両側の外縁に沿って切刃１３が形成されている。またナイフＣの表面には暗色層１４が形成されており、該暗色層１４によって非反射性が付与されている。
【００５５】
図６に示すナイフＤは、先端部分が曲線状に形成されている点でナイフＣと異なるが、他の構成は前述のナイフＣと同じように構成されている。
【００５６】
ナイフＣ，Ｄに於いて、材料はオーステナイト系ステンレス鋼を用いており、この材料
がファイバー状の組織を有していても、粒状の組織のままであっても良い。例えば、材料がファイバー状に伸長させた組織を有する線材である場合、この線材をナイフＣ，Ｄの長さに対応させて切断した線材を形成し、この線材の一方側の端部をプレス加工してナイフＣ或いはナイフＤの形状に成形した中間材を形成する。
【００５７】
その後、前記中間材を研削加工して切刃１３を形成した後、前述の第１実施例と同様に浸炭処理を施すことで、ファイバー状母材の表面に硬化層を形成してナイフＣ，Ｄを構成することが可能である。
【００５８】
またファイバー状に伸長させた組織を有することのないオーステナイト系ステンレス鋼を用いる場合であっても、前述と同様に、所定の長さに切断した線材の一端にプレス加工を施してナイフＣ，Ｄの形状を成形すると共に切刃１３を形成し、その後、フッ化処理，浸炭処理を施すことで、ナイフＣ，Ｄを構成することが可能である。
【００５９】
上記の如くして得たナイフＣ，Ｄは、外縁に沿って高い硬度を持った切刃１３が形成されている。このため、一般外科用のナイフとして利用することが可能である。しかし、脳外科手術や眼科手術に用いる場合、浸炭処理して硬化層４を形成したナイフＣ，Ｄに於ける外縁に沿って研削して硬化層４の一部を除去することで、切刃１３を形成することが好ましい。このように、硬化層４の一部を除去したナイフＣ，Ｄでは、繊細な手術を行う際に円滑な切開を実現することが可能となる。
【００６０】
本実施例では、上記の如くして表面に硬化層を形成したナイフＣ，Ｄに対し、暗色層１４を形成して非反射性を付与している。この暗色層１４を形成する場合、浸炭雰囲気中に少量の酸素を残存させて浸炭処理することで形成している。
【実施例３】
【００６１】
次に、医療用針等の第３実施例について図を用いて説明する。図７は医療用針等としての歯科用治療器具であるピーソーリーマの例を説明する図である。図に示すピーソーリーマＥは、歯の表面に形成された象牙質や石灰化した根管壁のようにやや硬度の高い層を切削するための器具であり、ハンドピースと呼ばれる回転駆動装置に装着されて操作されるものである。
【００６２】
ピーソーリーマＥは、一方の端部側に形成された切刃部２１と、他方の端部側に形成されハンドピースのチャックに把持されるシャンク２２と、切刃部２１とシャンク２２の間に形成されたネック部２３とを有して構成されている。前記ネック部２３は、歯を削っている際に、何らかの障害が生じたとき、ピーソーリーマＥに作用する捩じり力及び、又は曲げ力によって破断するヒューズとしての機能を有する。
【００６３】
切刃部２１は複数枚（本実施例では３枚）の切刃２１ａが予め設定された捩じり角を持って形成されている。また各切刃２１ａのすくい面及び逃げ面には、浸炭層からなる硬化層２４が形成されており、中心部分はオーステナイト系ステンレス鋼を冷間線引き加工したファイバー状の組織によって、或いは冷間線引き加工を施すことのない粒状のオーステナイト組織によって構成されている。
【００６４】
上記の如きピーソーリーマＥを構成する手順について簡単に説明する。先ず、ファイバー状の組織を持った、或いは粒状の組織を持ったオーステナイト系ステンレス鋼の線材を目的のピーソーリーマＥの長さと対応する長さに切断した素材に対し、所定の加工を行って、切刃部２１をストレート状（複数の切刃２１ａを形成しない状態）に形成すると共に、シャンク２２，ネック部２３を形成し、この状態で、フッ化処理，浸炭処理を行って硬化層２４を形成する。このとき、未加工状態の切刃部２１の外周面は一様な深さに硬化層２４が形成されている。
【００６５】
次に、切刃部２１に対する研削加工を行って、複数の切刃２１ａを形成する。この加工により切刃部２１には、すくい面及び逃げ面が夫々硬化層２４によって構成された複数の切刃２１ａが形成される。従って、切刃２１ａは全表面に硬化層２４が形成されることがなく、すくい面，逃げ面の一部を除く部分は折れ難いファイバー状に伸長したオーステナイト組織、或いは粒状のオーステナイト組織によって構成されることになり、高い切削性を発揮すると共に折れ難いピーソーリーマＥとすることが可能となる。特にすくい面，逃げ面の一部を除く部分をファイバー状に伸長したオーステナイト組織とした場合には、曲げに対して高い強度を発揮することが可能であり、且つネック部２３がしなやかに屈曲して良好な治療を行うことが可能となる。
【００６６】
ピーソーリーマＥを構成するに際し、フッ化処理，浸炭処理の工程順位は、上記順位に限定するものではなく、予め切刃部２１に複数の切刃２１ａを形成した後、前記フッ化処理，浸炭処理を施しても良い。
【実施例４】
【００６７】
次に、医療用針等の第４実施例について図を用いて説明する。図８は医療用針等としての歯科用治療器具であるファイルの例を説明する図である。図に示すファイルＦは、石灰化した根管壁の表面を切削すると共に根管を成形するための器具であり、ハンドピースと呼ばれる回転駆動装置に装着されて操作されるものである。
【００６８】
ファイルＦは根管の成形を行うと同時に切削屑を外部に排除し、且つ根管につまっている内容物を外部に排除する機能を有する。特に、根管は根尖に向かって次第に細くなりつつ湾曲しており、この湾曲形状は個人差が大きいため、ファイルＦは根管壁を切削しつつ、根管の湾曲に対し柔軟に追従することが要求される。このため、ファイルＦは、高い切削性能と、充分な柔軟性を兼ね備えた性質を有することが必要となる。
【００６９】
ファイルＦは、全体がテーパ状の素材を研削して形成された作業部３１と、図示しないハンドピースのチャックに把持されるシャンク３２と、作業部３１から連続して形成されシャンク３２に固着される胴部３３とを有して構成されている。
【００７０】
切刃３１ａのすくい面及び逃げ面には、浸炭層からなる硬化層３４が形成されており、該硬化層３４によって切刃３１ａに高い硬度を発揮させている。また中心部分はオーステナイト系ステンレス鋼を冷間線引き加工したファイバー状の組織によって、或いは冷間線引き加工を施すことのない粒状のオーステナイト組織によって構成されている。
【００７１】
上記ファイルＦを構成する手順について簡単に説明する。先ず、冷間線引き加工することでファイバー状の組織を有するオーステナイト系ステンレス鋼の線材、或いは冷間線引き加工を施すことなく粒状のオーステナイト組織を有する線材、を目的のファイルＦの長さに対応させて切断した素材を形成し、この素材にセンタレス加工を施して作業部３１と対応する部分をテーパ状に形成して中間材を構成する。
【００７２】
上記中間材に対し、フッ化処理，浸炭処理して全表面に硬化層３４を形成し、その後、テーパ状の作業部３１を螺旋状に研削して切刃部３１ａのすくい面，逃げ面に硬化層３４を残した偏平断面とする。螺旋状の作業部３１を形成した後、胴部３３をシャンク３２に結合させてファイルＦを得ることが可能である。
【００７３】
フッ化処理，浸炭処理を施す工程順位は上記順位に限定するものではなく、螺旋状の作業部３１を形成した後、前記処理を施して切刃３１ａに硬化層３４を形成しても良いことは当然である。
【００７４】
この場合、作業部３１は、予めテーパ状に形成された部分の対向する面を研削して偏平な断面を形成することで角部に切刃３１ａを形成し、この部分を予め設定された捩じり角で捩じることで螺旋状の切刃３１ａと、螺旋状の溝３１ｂを形成して構成しても良い。作業部３１が偏平断面の材を捩じることによって、根管の成形に際し、該根管の湾曲に沿って柔軟に追従することを実現している。
【００７５】
また、フッ化処理，浸炭処理を施す工程の順位は限定するものではないが、捩じり加工後にフッ化処理，浸炭処理を施すと、捩じり加工に於いて形成された捩じり形状を、硬化層３４によって固定することが可能である。これにより、従来より問題となることがあった使用中に捩じりが戻ってしまうという問題を回避することが可能となる。従って、フッ化処理，浸炭処理は、捩じり加工よりも後工程とすることが好ましい。
【００７６】
またファイルＦに代表される根管治療器具では、根管の湾曲に対して柔軟に追従することが要求される。即ち、従来は、素材が軟らかいことが好ましいが、良好な切削性を発揮させるためには切刃の硬度を高くする必要があるという相反する問題を有していた。この問題を解決するために、両者のバランスを取り得る硬さの素材を用いていた。しかし、本発明では硬化層３４を形成することによって、切刃部３１ａの硬度を高くすることが可能である。このため、素材としては従来より使用していたものと比較してより軟らかいものを用いることが可能となり、切削性と柔軟性の両方を好ましく向上させた理想的な根管治療器具を実現することが可能となる。
【産業上の利用可能性】
【００７７】
上記の如き本発明に係る医療用針等は、表面が高い硬度を有することから、生体組織を刺し通す際の抵抗、削る際の抵抗、切開する際の抵抗を小さくすることが可能であり、且つファイバー状の組織を有する場合には折れ難さを発揮し、更に、表面に暗色層を形成して非反射性を付与したものでは、顕微鏡や内視鏡を利用して繊細な手術を行う際に医師の疲労を軽減することが可能となるなど、極めて有効である。
【図面の簡単な説明】
【００７８】
【図１】医療用針等としての縫合針の例を説明する図である。
【図２】医療用針等としての縫合針の他の例を説明する図である。
【図３】オーステナイト系ステンレス鋼を冷間線引き加工して得たファイバー状の組織の例を説明する図である。
【図４】縫合針の先端部分の好ましい例を説明する図である。
【図５】医療用針等としてのナイフの例を説明する図である。
【図６】医療用針等としてのナイフの他の例を説明する図である。
【図７】医療用針等としてのピーソーリーマの例を説明する図である。
【図８】医療用針等としてのファイルの例を説明する図である。
【符号の説明】
【００７９】
Ａ，Ｂ                      縫合針
Ｃ，Ｄ                      ナイフ
Ｅ                          ピーソーリーマ
Ｆ                          ファイル
１                          胴部
１ａ                        針先部
１ｂ                        切刃
２                          穴
３                          ファイバー状組織
４                          硬化層
４ａ                        境界線
１０                        刃部
１１                        シャンク
１２                        尖端
１３                        切刃
１４                        暗色層
２１                        切刃部
２１ａ                      切刃
２２                        シャンク
２３                        ネック部
２４                        硬化層
３１                        作業部
３１ａ                      切刃
３１ｂ                      溝
３２                        シャンク
３３                        胴部
３４                        硬化層
【図１】
2006077313.tif 000003
【図２】
2006077313.tif 000004
【図３】
2006077313.tif 000005
【図４】
2006077313.tif 000006
【図５】
2006077313.tif 000007
【図６】
2006077313.tif 000008
【図７】
2006077313.tif 000009
【図８】
2006077313.tif 000010